(57)【要約】  親油性流体及び特定の布地ケア活性物質により布地を処理するための方法及び組成物が、本発明により提供される。【特許請求の範囲】
【請求項１】
親油性流体及び特定の布地ケア活性物質を含む、布地処理組成物。
【請求項２】
前記組成物が極性相を更に含み；好ましくは前記極性相が水及び／もしくはアルコールを含み；並びに／又は好ましくは前記極性相が組成物の少なくとも約０．１重量％の水を含み；より好ましくは前記極性相が組成物の最大約５重量％の水を含む、請求項１に記載の組成物。
【請求項３】
前記親油性流体が、線状シロキサン、環状シロキサン、又はこれらの混合物を含み；好ましくは前記親油性流体が、オクタメチルシクロテトラシロキサン、デカメチルシクロペンタシロキサン、ドデカメチルシクロヘキサシロキサン、及びこれらの混合物から成る群から選択される親油性流体を含み；より好ましくは前記親油性流体がデカメチルシクロペンタシロキサンを含み；最も好ましくは前記親油性流体が、デカメチルシクロペンタシロキサンを含むが、オクタメチルシクロテトラシロキサンを実質的に含まない、請求項１に記載の組成物。
【請求項４】
該組成物が、酵素、漂白剤、乳化剤、界面活性剤、布地柔軟剤、香料、抗菌剤、静電気防止剤、光沢剤、染料固定剤、染料磨耗防止剤、クロッキング防止剤、皺取り剤、防皺剤、汚れ放出ポリマー、日焼け止め剤、退色防止剤、ビルダー、非特定の布地ケア活性物質、発泡剤、組成物悪臭制御剤、組成物着色剤、ｐＨ緩衝剤、防水剤、防汚剤、及びこれらの混合物から成る群から選択される添加剤成分を更に含む、請求項１に記載の組成物。
【請求項５】
処理の必要な布地物品を処理する方法であって、前記該布地物品が処理されるように前記該布地物品を前記該組成物にさらす工程を含む、請求項１〜４のいずれか１項に記載の組成物を用いる方法。
【請求項６】
前記布地物品を乳化剤にさらす追加工程を含む、請求項５に記載の方法。
【請求項７】
前記布地物品を界面活性剤にさらす追加工程を含む、請求項５に記載の方法。
【請求項８】
該方法が約８０℃未満で行われる、請求項５に記載の方法。
【発明の詳細な説明】
【技術分野】
【０００１】
本発明は、親油性流体及び特定の布地ケア活性物質により布地を処理するための組成物及び方法に関する。
【背景技術】
【０００２】
衣服のような布地物品の洗浄及び処理に関する従来の洗濯技術には、長い間、通常の水性主体の洗濯、及び一般に「ドライクリーニング」と呼ばれる技術の両方が必要であった。通常の水性主体の洗濯手法には、水及び洗剤又は石鹸製品の溶液への布地物品の浸漬、それに続くすすぎ及び乾燥が必要であった。しかしながら、水への浸漬に適さない布地の構成要素、構造などのために特殊な取り扱い及び／又は洗浄方法を必要とする様々な布地物品に、かかる従来の浸漬洗浄技術は不十分であることが判明している。
【０００３】
従って、「ドライクリーニング」の洗濯方法の使用が開発されてきた。ドライクリーニングでは、典型的には洗浄のための溶媒又は溶液として非水性流体、親油性流体の使用を必要とする。無水であるために、水が存在する場合に生じる思わぬ失敗の可能性がなく、布地を洗浄できるがこのような親油性流体は、親水性の汚れ及び／又は複合的な汚れには上手く機能しない。
【０００４】
これらの親油性流体は、通常は「原液」形態で使用されるので（即ち、それらは追加的な添加物を含有しない）、ドライクリーニングサイクルの前に布地から頑固な汚れを落すためには、ドライクリーニング業者は前処理及び／又は前しみ除去を行わなければならないことが多い。更に、ドライクリーニング業者から戻ってきた「黒ずんだ」又は「くすんだ」布地からわかるように、ドライクリーニングされる布地の「白さ」又は「光沢」を増進するために何も添加されない。親油性流体の光沢を出す、白くする、及び／又は汚れを落とす能力を高め、それによって前処理及び／又は前しみ除去を軽減する、又はなくすために、親油性流体による処理方式に漂白を加えることが望ましい。
【０００５】
消費者が高く評価する多くの布地及び織物（例えば、シルク）は、多量の水にさらされると過度の損傷を受け易い。このため、このような布地及び織物で作られた衣類はドライクリーニングしなければならない。
【発明の開示】
【発明が解決しようとする課題】
【０００６】
それ故に、布地ケア活性物質を組み込んだ親油性流体組成物と共に用いる布地ケア及び／又は処理方式への要求が依然として存在する。
【課題を解決するための手段】
【０００７】
親油性流体組成物と共に用いる、布地ケア活性物質含有のケア及び処理方式並びに組成物を提供する本発明によってこの要求は満たされる。
【０００８】
本発明は、親油性流体による処理方式において改善された布地洗浄を達成する方法を対象とし、その際、その方法は、布地を親油性流体にさらす工程と布地を特定の布地ケア活性物質にさらす工程とを含む。
【０００９】
本発明はまた、親油性流体による処理方式において改善された布地洗浄を達成する組成物を対象とし、その際、その組成物は親油性流体と特定の布地ケア活性物質とを含む。
【００１０】
これら及び他の態様、特徴及び利点は、以下の詳細な説明及び記載された請求項を読むことにより、当業者には明らかになるであろう。本明細書におけるすべての百分率、比率及び割合は、特に指定のない限り重量を基準とする。特に指定のない限り、温度は全て摂氏（℃）による。全ての測定値は、特に指定のない限りＳＩ単位による。関連部分において記載されるすべての文献は、参照文献として本明細書中に組み込まれる。
【発明を実施するための最良の形態】
【００１１】
（定義）
本明細書で用いられる用語「布地（複数）」及び「布地（単数）」とは、従来の洗濯方法又はドライクリーニング方法で習慣的に洗浄されるいかなる物品も意味するものとする。このような用語は、衣服、亜麻布、服地、及び衣服付属品のような物品を包含する。この用語はまた、手下げバッグ、家具カバー、防水布など、全体的に又は部分的に布で作られた他の品目も包含する。
【００１２】
用語「汚れ」とは、取り除くことが望まれる、布地物品上の望ましくないあらゆる物質を意味する。用語「水をベースにした」又は「親水性の」汚れとは、汚れが最初に布地物品と接触した時点で、汚れが水を含んでいるか、又は汚れが布地物品上で相当な分量の水を保持していることを意味する。水をベースにした汚れの例には、飲み物、多くの食物汚れ、水溶性染料、体液、例えば汗、尿、又は血液など、戸外の汚れ、例えば草のしみ、及び泥などが挙げられるが、これらに限定されない。
【００１３】
（親油性流体）
本明細書の親油性流体は、布地物品処理機器の運転条件下で、換言すれば、本発明による布地物品の処理中に、液体相を有するものである。一般に、このような親油性流体は周囲温度及び周囲圧力において完全な液体であり得、容易に溶解する固体、例えば約０℃〜約６０℃の範囲の温度で液体になるものであり得、又は例えば２５℃及び１気圧の周囲温度及び周囲圧力において液相及び蒸気相の混合物を含み得る。従って、親油性流体は、二酸化炭素のような圧縮性気体ではない。
【００１４】
本明細書の親油性流体は、既知の従来のドライクリーニング流体の性質と等しい、又は好ましくはそれを上回る不燃性を有するか又は比較的高い引火点及び／もしくは低ＶＯＣ（揮発性有機化合物）性を有することが好ましく、これらの用語はドライクリーニング産業で使用されるような慣用的な意味を有する。
【００１５】
更に、本明細書の好適な親油性流体は、流動し易く、粘性ではない。
【００１６】
一般に、本明細書の親油性流体は、本明細書で後述する試験の中で定義されるように、皮脂又は身体の汚れを少なくとも部分的に溶解できる流体であることが必要である。親油性流体の混合物もまた好適であり、下記の親油性流体試験の要件が満たされることを条件として、親油性流体は、いずれかの分率のドライクリーニング溶媒、特にフッ素化溶媒類、又は過フッ素化アミン類を含む、より新しい種類のものを含むことができる。パーフルオロトリブチルアミンのような幾つかの過フッ化アミン類は、親油性流体として使用するには適さないが、親油性流体を含有する組成物中に存在する多くの可能な添加剤の１つとして存在してよい。
【００１７】
他の好適な親油性流体には、ジオール溶媒系、例えば、Ｃ６−もしくはＣ８−の高級ジオール、又は更に高級のジオール類、環状及び非環状型の両方を含む有機シリコーン溶媒類等、並びにこれらの混合物が挙げられるが、これらに限定されない。
【００１８】
本発明の組成物の主成分として組み込むのに好適な非水性親油性流体の好ましい群には、低揮発性非フッ素化有機物類、シリコーン類、特にアミノ官能性シリコーン類以外のもの、及びこれらの混合物が挙げられる。低揮発性非フッ素化有機物には、例えばオレアン（OLEAN）（登録商標）及びその他のポリオールエステル、又は特定の比較的非揮発性の生分解性中鎖分枝状石油留分が含まれる。
【００１９】
本発明の組成物の主成分として組み込むのに好適な非水性親油性流体の別の好ましい群には、グリコールエーテル類、例えば、プロピレングリコールメチルエーテル、プロピレングリコールｎ−プロピルエーテル、プロピレングリコールｔ−ブチルエーテル、プロピレングリコールｎ−ブチルエーテル、ジプロピレングリコールメチルエーテル、ジプロピレングリコールｎ−プロピルエーテル、ジプロピレングリコールｔ−ブチルエーテル、ジプロピレングリコールｎ−ブチルエーテル、トリプロピレングリコールメチルエーテル、トリプロピレングリコールｎ−プロピルエーテル、トリプロピレングリコールｔ−ブチルエーテル、トリプロピレングリコールｎ−ブチルエーテルが挙げられるが、これらに限定されない。組成物の主成分として、例えば、５０％を超過して用いられる好適なシリコーン類には、「Ｄ５」と呼ばれることもあるシクロペンタシロキサン、及び／又はほぼ同様の揮発性を有し、任意に他の適合性のあるシリコーンにより補完される直鎖類似体が挙げられる。好適なシリコーン類は、文献で周知であり、例えば、カーク・オスマー（Kirk Othmer）の工業化学百科事典（Encyclopedia of Chemical Technology）を参照されたい。また、ゼネラル・エレクトリック（General Electric）、東芝シリコーン（株）、バイエル（Bayer）、及びダウ・コーニング（Dow Corning）を含む多数の民間の供給源から入手可能である。他の好適な親油性流体が、プロクター・アンド・ギャンブル（Procter & Gamble）、又はダウ・ケミカル（Dow Chemical）、及び他の供給元から入手可能である。
【００２０】
（親油性流体の適格性及び親油性流体試験（ＬＦ試験））
ドライクリーニング流体についての既知の要件（例えば、引火点）を満たすことができ、下記の試験法に示されるように皮脂を少なくとも部分的に溶解可能なあらゆる非水性流体が、本明細書の親油性流体として好適である。一般指針としてパーフルオロブチルアミン（フロリナート（Fluorinert）ＦＣ−４３（登録商標））はそれ自体（補助剤と共に、又は補助剤なしで）では定義により本明細書で使用される親油性流体として好適でない（本質的に非溶媒である）標準物質であり、一方でシクロペンタシロキサンは好適な皮脂溶解特性を有し、皮脂を溶解させる。
【００２１】
以下は親油性流体として使用する他の物質、例えば、他の低粘度、自由流動性シリコーンの調査及び適格性を認定する方法である。この方法は、皮脂に関するモデル汚れとして、市販品として入手可能なクリスコ（Crisco）（登録商標）キャノーラ油、オレイン酸（純度９５％、シグマ・アルドリッチ社（Sigma Aldrich Co．）から入手可能）及びスクアレン（純度９９％、Ｊ．Ｔ．ベーカー（J．T．Baker）から入手可能）を使用する。試験物質は、実質的に無水であり、いかなる添加された添加剤も評価中の他の材料も含んでいてはならない。
【００２２】
３本のバイアル瓶を用意し、各バイアル瓶に一種類の親油性汚れを入れる。第一のバイアル瓶にキャノーラ油１．０ｇを入れ、第二のバイアル瓶にオレイン酸（９５％）１．０ｇを入れ、最後の第三のバイアル瓶にスクアレン（９９．９％）１．０ｇを入れる。各バイアル瓶に、親油性を試験する流体を１ｇ入れる。室温及び室内圧力で標準的な攪拌混合機において、最大設定で２０秒間、試験される親油性汚れ及び流体を含有する各バイアル瓶を個別に混合する。バイアル瓶を作業台に載置し、室温及び室内圧力で１５分間安定させる。静止した時に、親油性汚れの入ったいずれかのバイアル瓶に透明な単一相が形成された場合は、その非水性流体は、本発明による「親油性流体」として使用するのに好適であると見なされる。しかし、３本のバイアル瓶全部に２つ以上の分離相が形成されている際には、油相中に溶解される非水性流体の量を、非水性流体が適切なものとして拒絶する又は容認する前に、更に測定する必要がある。
【００２３】
このような場合には、注射器により、各バイアル瓶の各層から２００ｍｌのサンプルを注意深く抽出する。各３つのモデル汚れ及び試験される流体の較正サンプルの保持時間の決定後、注射器で採取した層のサンプルをＧＣオートサンプラーバイアル瓶に入れ、従来のＧＣ分析にかける。オレイン酸層、キャノーラ油層、又はスクアラン層からなる層のいずれか１つに、試験流体が１％を超えて、好ましくはより多く、存在することがＧＣで見つかった場合には、その試験流体も親油性流体として使用するのに適切であると格付けされる。必要であれば、上記方法はヘプタコサフルオロトリブチルアミン、つまりフロリナート（Fluorinert）ＦＣ−４３（不合格）及びシクロペンタシロキサン（合格）を使用して更に較正することができる。好適なＧＣは、スプリット／スプリットレスインジェクター及びＦＩＤを装備したヒューレットパッカード（Hewlett Packard）のガスクロマトグラフＨＰ５８９０シリーズＩＩである。親油性流体存在量を決定するのに使用する好適なカラムは、Ｊ＆Ｗサイエンティフィック社（J&W Scientific）の、３０メートル、内径０．２５ｍｍ、０．１ｕｍのフィルム厚、カタログ番号１２２１１３１のキャピラリーカラムＤＢ−１ＨＴである。ＧＣは次の条件下で操作されるのが好適である：
【表１】
2005513244.tif 000002
【００２４】
本明細書で使用するのに適した好ましい親油性流体は、優れた衣類ケア特性を有するので、用いられるのに更に適する可能性がある。衣類ケア特性試験は当該技術分野において周知であり、幅広い範囲の衣類又は継ぎ目などに使用される布地、糸及びゴムひもを含む布地物品構成要素及び様々なボタンを使用して特定されるべき流体を試験することを含む。本明細書に用いるのに好ましい親油性流体は、優れた衣類ケア特性を有する、例えば、良好な収縮及び／又は布地ひだ寄せ特性を有し、プラスチックボタンに目立った損傷を与えない。例えばエチルラクテートのような、皮脂の除去において親油性流体として使用するのが適切である特定の物質は、ボタンを溶解する傾向があるためにあまり好ましくないことがあり、そのような物質を本発明の組成物中に使用しなければならない場合は、混合物全体が実質的にボタンに損傷を与えないように、水及び／又は他の物質と配合されることになる。他の親油性流体、Ｄ５は、例えば、衣類ケアの要件を十分に満たす。幾つかの好適な親油性流体は、付与された米国特許第５，８６５，８５２号、第５，９４２，００７号、第６，０４２，６１７号、第６，０４２，６１８号、第６，０５６，７８９号、第６，０５９，８４５号、及び第６，０６３，１３５号の中に見出すことができ、これらは本明細書に参考として組み入れられる。
【００２５】
親油性流体には、線状及び環状ポリシロキサン、炭化水素、及び塩素化炭化水素を挙げることができるが、本明細書で使用される親油性流体の定義によって明確に含まれないＰＥＲＣ及びＤＦ２０００は例外とする。より好ましいのは線状及び環状ポリシロキサン類、及び炭化水素のグリコールエーテル、炭化水素の酢酸エステル、炭化水素の乳酸エステル類である。好ましい親油性流体には、７６０ｍｍＨｇにおける沸点が約２５０℃未満である環状シロキサンが挙げられる。本発明で用いられるのに特に好ましい環状シロキサン類は、オクタメチルシクロテトラシロキサン、デカメチルシクロペンタシロキサン及びドデカメチルシクロヘキサシロキサンである。好ましくは、環状シロキサンはデカメチルシクロペンタシロキサン（Ｄ５、ペンタマー）を含み、実質的にオクタメチルシクロテトラシロキサン（テトラマー）及びドデカメチルシクロヘキサシロキサン（ヘキサマー）を含まない。
【００２６】
但し、有用な環状シロキサン混合物が、好ましい環状シロキサンに加えて、オクタメチルシクロテトラシロキサン及びヘキサメチルシクロトリシロキサン、又はテトラデカメチルシクロヘプタシロキサンのようなより高級な環状物を含む他の環状シロキサンも微量含有する場合があることを理解すべきである。一般に、有用な環状シロキサン類混合物中のこれらの他の環状シロキサンの量は、混合物全体の約１０重量％未満である。環状シロキサン混合物の工業規格では、このような混合物は混合物の約１重量％未満のオクタメチルシクロテトラシロキサンを含む。
【００２７】
（特定の布地ケア活性物質）
本発明の方法及び組成物に用いる特定の布地ケア活性物質の非限定例には、ＵＶ保護剤、移染防止剤及び／又は染料固着剤、アミノ含有柔軟剤、アミノ非含有柔軟剤、皺減少及び除去剤、布地再生剤、繊維修復剤、香料放出及び／又は送達剤、形状保持剤、布地及び／又は汚れ標的剤、抗細菌剤、衛生剤、刺激減少剤、変色防止剤、疎水性加工剤、及びこれらの混合物が挙げられる。所望の硬化に従って、様々な特定の布地ケア活性物質を用いることができる。特定の布地ケア活性物質は、当業者に既知の、及び本明細書の参照文献に記載されたような好適な濃度で組成物中に存在し、こうした参照文献は参考として組み入れられる。
【００２８】
好適なＵＶ保護剤の非限定例には、ベンゾピロリドン誘導体（ＰＣＴ国際公開特許ＷＯ００／６５１４２）；退色を遅らせるための犠牲光退色防止及び／又はシンナメート誘導体、例えば２長鎖クアットとの組み合わせによるレバフィクス（levafix）（ＰＣＴ国際公開特許ＷＯ００／００５７７）；アミノナフタレン誘導体（aminonapthalene derivatives）：布地実体日焼け止め剤（ＰＣＴ国際公開特許ＷＯ９９／５０３７９）；セルロースモノアセテートによるＵＶ吸収剤の付着；メトキシシンナメート誘導体（ＰＣＴ国際公開特許ＷＯ００／１８８６１及びＰＣＴ国際公開特許ＷＯ００／１８８６２）；活性付着を強化するためのＰＶＡ及び／又はＳＣＭＣとＵＶ吸収剤のエステル（ＰＣＴ国際公開特許ＷＯ００／１８８６３）；非イオン性／カチオン性製品中の２エチルヘキシル４メトキシシンナメートの付着（ＰＣＴ国際公開特許ＷＯ９７／４４４２２）；すすぎ製品からのＣｌｏｇＰ＞４のＵＶ吸収剤の付着（ＰＣＴ国際公開特許ＷＯ９７／４４４２４）；カチオン性ＵＶ吸収剤（ＰＣＴ国際公開特許ＷＯ９８／３０６６３）；染色した布地のＵＶ退色を遅らせるためのヒンダードアミンの使用（ＰＣＴ国際公開特許ＷＯ０１／３８４７０及びＰＣＴ国際公開特許ＷＯ０１／０７５５０）；光退色を遅らせるためのカチオン性（ＥＰ８３２９６７）；水溶性日焼け止め剤との組み合わせによるＮＣＯ含有ポリマー（ＰＣＴ国際公開特許ＷＯ９８／４９２５９）；すすぎ添加物中の酸化防止剤＋チヌビン（米国特許第５，９６２，４０２号）；ベンゾトリアゾールＵＶ吸収剤（米国特許第５，７３３，８５５号）が挙げられる。
【００２９】
好適な移染防止剤及び／又は染料固着剤の非限定例には、布地の色を復元するための黒色染料（ＰＣＴ国際公開特許ＷＯ９９／６６０１９）；ＤＴＩ用ビニル−イミダゾール−アクリル酸コポリマー（ＰＣＴ国際公開特許ＷＯ００／１７２９６）；レッド６の移染を防止するためのラマＵＨＨ抗体（ＰＣＴ国際公開特許ＷＯ９９／４６３００）；ＤＴＩ剤としてのアクリル／ビニルイミダゾールコポリマー（ＰＣＴ国際公開特許ＷＯ９８／３０６６４）；選択されたＤＴＩ剤及びキャリア物質としてシリカ又はゼオライトを含有する組成物；クロムボンド（Chromabond）＋ゲイシル（Gasil）シリカ又はゼオライト；チノフィクス（Tinofix）；バーコフィクス（Burcofix）；ＰＶＰ；光開始剤；ヒドロキシアセトフェノン；ホスフィンオキシド誘導体；改善された染料固着のための反応性ポリマー（例えばアミド（amide）／エピクロるヒドリン樹脂（epichlorhydrin resin））及び反応性アニオン性ポリマー及びキャリアを有する組成物（ＰＣＴ国際公開特許ＷＯ０１／２５３８６）；ＰＶＰＶＩ組成物（米国特許第５，９７７，０４６号、及びＰＣＴ国際公開特許ＷＯ９７／２３５９１）；高分枝ポリマー／デンドリマー（ＥＰ８７５５２１）；樹枝状高分子、アミン含有（米国特許第５，８７２，０９３号及びＥＰ７７９３５８）；染料固着の効果のためのプロピレンジアミン及びピペラジン（ＰＣＴ国際公開特許ＷＯ００／１５７４５）；繊維の機械的損傷及び染料の損失を減少するためのＣＭＣの組み合わせ（ＰＣＴ国際公開特許ＷＯ００／２２０７９及びＰＣＴ国際公開特許ＷＯ００／２２０７８及びＰＣＴ国際公開特許ＷＯ００／２２０７７及びＰＣＴ国際公開特許ＷＯ００／２２０７５）；染料固着剤としてのジメチルジアリル系ポリマー（ＰＣＴ国際公開特許ＷＯ００／５６８４９）；ポリマー環状アミン（ＰＣＴ国際公開特許ＷＯ９９／１４２９９）；エピクロルヒドリン（epichlorhydrin）及び環状アミンと半極性非イオン性物質とのコポリマー（ＰＣＴ国際公開特許ＷＯ０１／３２８１５及びＰＣＴ国際公開特許ＷＯ０１／３２８１６）；ＤＴＩ剤としてのＮ−ビニルイミダゾール／Ｎビニルピロリドンの高分子量ポリマー（ＤＥ１９６２１５０９）；染料固定剤としてのポリカチオン性物質（ＤＥ１９６４３２８１）
；染料除去保護剤としてのアミノシリコーン及び長期香料放出（ＰＣＴ国際公開特許ＷＯ９８／３９４０１）及びこれらの混合物が挙げられる。
【００３０】
好適なアミノ柔軟剤の非限定例には、カルボン酸によりエステル化され及び四級化されたトリエタノールアミン；またＵＶ吸収（ＥＰ９０２００９）；エステルクアット（ＰＣＴ国際公開特許ＷＯ９９／５８４９２）；カチオン性ジエステル：１，２ジヒドロキシ３トリメチルアミノプロパンクロライド（米国特許第４，１３７，１８０号）；柔軟剤としての長鎖ゲルベ（Guerbet）アルコールのベタインエステル（ＰＣＴ国際公開特許ＷＯ９７／０８２８４）；ペンタエリスリトールエステルクアット（ＥＰ７９０２９５）；環状多価アルコール及び／もしくは還元糖及び／もしくは付着助剤を含有し、並びに／又はアニオン性ポリマー／全体で負の電荷を有する非イオン性＋カチオン性ポリマーを含有する布地柔軟剤組成物（ＰＣＴ国際公開特許ＷＯ００／７０００４及びＰＣＴ国際公開特許ＷＯ００／７０００５）；カチオン性及び油性糖誘導体を有し、任意に付着助剤を含有する布地柔軟剤組成物（ＰＣＴ国際公開特許ＷＯ０１／４６３６１及びＰＣＴ国際公開特許ＷＯ０１／４６３６３）；第三級アミン／エステルクアットの組み合わせ（ＪＰ１１−３５０３４８及びＰＣＴ国際公開特許ＷＯ９９／６４６６１及びＰＣＴ国際公開特許ＷＯ９９／６４６６０及びＪＰ１１−３５０３４９）；生分解性エステルクアット（ＪＰ１１−２４６５０２）；第三級アミド（amide）／エステルクアットアミノ柔軟化組成物、及びアミド（amido）エステルクアット（ＪＰ１１−０８１１３４及びＪＰ１１−０４３８６３）；クロロカルボン酸（chlorocarboxylic acid）誘導エステルクアット（ＪＰ０９−１０４６６４）；セチル／ステアリルゲルベ（Guerbet）アルコール誘導クアット（ＪＰ０９−１８８６５４）；ヒドロキシステアリン酸／ステアリルアミン誘導体（ＪＰ０９−１１０８１４）；アミノプロパンジオール誘導体（ＪＰ０９−２５５６３８）；ゲルベ（Guerbet）アルコール誘導体（ＪＰ０９−２９５９６０）；リンゴ酸誘導体（ＪＰ０９−３０１９３６）；第四級アンモニウムアミド（amide）（ＪＰ０９−２７８７２８）；エステルクアット柔軟剤（ＰＣＴ国際公開特許ＷＯ０１／０２３３８）；有効な柔軟剤としてのポリアミン；プロピレンジアミン誘導体及び１，４ピペラジン誘導体を含む（ＰＣＴ国際公開特許ＷＯ００／１５７４６）；２長鎖クアットの安息香酸塩／サリチル酸塩（ＥＰ９５５２８８）；複数のＥＯ／ＰＯ／ＢＯ基を有するエステルクアット（ＰＣＴ国際公開特許ＷＯ００／６８５０２）；ヘキサメチレンジアミン系クアット（米国特許第６，２１１，１３９号）及びこれらの混合物が挙げられる。
【００３１】
非アミノ柔軟仕上げ剤の非限定例には、アミノシリコーン（米国特許第４，８９１，１６６号）；液体洗剤中のブレンステッド酸を含有するクアット／シリコーン組成物（ＥＰ４５９８２１）；高粘度シリコーンを有する柔軟剤は、ＥＯＩの効果を提供するが、例えば特定のエマルションの液滴の大きさを有するシリコーンの、カチオン性の香料を含有する組成物である（ＰＣＴ国際公開特許ＷＯ００／７１８０６及びＰＣＴ国際公開特許ＷＯ００／７１８０７）；非イオン性柔軟剤、エステル化環状多価アルコール又は還元糖（ＰＣＴ国際公開特許ＷＯ０１／０７５４６）；シリコーン及び皮膚処理剤を含有するクアット組成物（ＥＰ７８９０７０）；シリコーンクアット及び付着助剤としてカチオン性ポリマー（例えばグアー）を含有する組成物（ＥＰ５３０９７４）；改善された繊維柔軟性のための修飾ＰＤＭＳ（ＪＰ２０００−６４１８０）；ペンダントエトキシアミド（ethoxy amido）基を有するＰＤＭＳを含有する柔軟化組成物（ＪＰ２０００−１４４１９９）；ペンダントアミノ官能基を含有する官能化ＰＤＭＳによる改善された織物の感触はアルコールの付加を含むことができる（ＪＰ２０００−１７８５８３及びＪＰ２０００−１９２０７５）；カチオン性アミノシリコーン剤；アミノシリコーン洗剤組成物（ＥＰ１５０８７２）；アミノシリコーン／布地柔軟化組成物（ＰＣＴ国際公開特許ＷＯ９２／０１７７３及び米国特許第４，８００，０２６号）；柔軟剤としてのシリコーンアミノエステル（米国特許第５，６６８，１０２号）；ＰＤＭＳ／クアット組成物（ＰＣＴ国際公開特許ＷＯ０１／２５３８１）；親水性、柔軟化、及び黄ばみ抵抗性のための官能化シロキサン（米国特許第６，１３６，２１５号及びＥＰ１０８１２７２）；織物加工及び汚れ放出を提供するための四級化シリコーン（米国特許第４，４４８，８１０号）；高粘度及び低粘度ポリマーのＰＤＭＳブレンド（ＥＰ４２２７８７）；生分解性オルガノシリコーンの良好な柔軟剤（ＰＣＴ国際公開特許ＷＯ０１／２３３９４）；繊維品質改良組成物中のペンダントアミノ基を有するシリコーン（ＥＰ４１３４１６）；ポリ四級ポリシロキサンポリマー；繰返しＮ＋単位を有するカチオン性シリコーン（米国特許第４，８９１，１６６号）；ペンダントＥＯ／ＰＯ及びエポキシグルカミン側鎖を有するアミノシリコーン（ＥＰ８７９８４０）；コーティングされたアミノシリコーンの粒子（ＰＣＴ国際公開特許ＷＯ９９／３８９１１）；アミノシリコーン組成物及び洗濯方法（ＰＣＴ国際公開特許ＷＯ９８／３９４０１）；ＰＤＭＳ及びＥＯ／ＰＯ単位のブロックコポリマー（ＰＣＴ国際公開特許ＷＯ９７／３２９１７）；黄ばみを減少させるための、アミン数の低いアミノシリコーン（米国特許第５，５９３，６１１号）及びこれらの混合物が挙げられる。
【００３２】
好適な皺減少及び／又は除去剤の非限定例には、アイロンの利点を容易にするための布地柔軟剤中の酸化ポリエチレンの使用（ＤＥ１９９２６８６３）；抗皺剤としての硫酸化ヒマシ油及び／又はエトキシル化シリコーン及び／又はアミノＰＤＭＳ及び／又はポリアクリルアミド（polyacrylamide）並びにそれらを含有するＨＤＬ洗剤；マグナソフト（Magnasoft）ＳＲＳ、シルウェット（Silwet）Ｌ−７６２２（ＰＣＴ国際公開特許ＷＯ００／２４８５３及びＰＣＴ国際公開特許ＷＯ００／２４８５７）；エトキシル化ＰＤＭＳ及びアクリルポリマーを含有するタンブルドライヤーシート（ＰＣＴ国際公開特許ＷＯ００／２７９９１）；皺の減少を提供するための高粘度シリコーン油及びエステルクアットのエマルション（ＰＣＴ国際公開特許ＷＯ００／７１８０６）；ドライヤーシートにより適用される脂肪族不飽和炭化水素；スクアレン；パラフィン（ＰＣＴ国際公開特許ＷＯ０１／３４８９６）；布地上にコーティングされた熱可塑性ポリマー；スチレン−イソプレン又はスチレンブタジエンポリマー（ＰＣＴ国際公開特許ＷＯ０１／３８６２７）；シリコーンポリマーの架橋セルロース中への組み込み；シリコーンカルボキシレート又はシラノール含有、酸処理セルロースと反応したもの（ＰＣＴ国際公開特許ＷＯ０１／４４４２６）；衣類の回復のための布地処理組成物を有するキャリアシート、例えば染みの前処理のための切り取り部分を含有するキャリアシート（ＰＣＴ国際公開特許ＷＯ０１／０７５６１及びＰＣＴ国際公開特許ＷＯ０１／０７５６２）；皺減少技術；アクリルとＰＤＭＳ；アラビノガラクタン；シリコーンエマルション；イソマルトスクシンアミド（isomaltosuccinamide）（ＰＣＴ国際公開特許ＷＯ００／２４８５１及びＰＣＴ国際公開特許ＷＯ００／２４８５６及びＰＣＴ国際公開特許ＷＯ００／２４８５８）；天然コチレドン抽出物（ＰＣＴ国際公開特許ＷＯ０１／０７５５４）；トリアジン又はピリミジン単位及び架橋剤を含有するセルロース系抗皺技術（ＰＣＴ国際公開特許ＷＯ０１／２３６６０）；抗皺スプレー中のカチオン性ポリアミド（polyamide）／エピクロルヒドリン樹脂（epichlorhydrin resin）及びシリコーン潤滑剤組成物（ＥＰ１０９６０５６）；シリコーン及びフィルム
形成ポリマーを含有する皺減少組成物；開示された広範囲のシリコーン（ＰＣＴ国際公開特許ＷＯ９６／１５３０９）；非イオン性多価アルコール含有皺減少組成物（ＰＣＴ国際公開特許ＷＯ９９／５５９４８及びＰＣＴ国際公開特許ＷＯ９９／５５９４９）；有効な皺減少助剤としての硬化性アミノ官能化シリコーン／布地柔軟化組成物（米国特許第５，１７４，９１２号）；皺減少剤としてのポリアクリレート／ジヒドロキシエチル尿素（ＰＣＴ国際公開特許ＷＯ０１／１６２６２）及びこれらの混合物が挙げられる。
【００３３】
布地再生剤及び／又は繊維修復剤の非限定例には、回復剤としてのＮ−アルコキシル化キチン／キトサンの製造（ＤＥ１００１９１４０）；布地再生剤としてのセルロースモノアセテート、例えば様々な有益剤のための付着助剤としてのセルロース系ポリマーの使用（ＰＣＴ国際公開特許ＷＯ００／１８８６０及びＰＣＴ国際公開特許ＷＯ００／１８８６１及びＰＣＴ国際公開特許ＷＯ００／１８８６２）；布地再生剤としての架橋されたカチオン性ポリアミン／エピクロルヒドリン樹脂（epichlorhydrin resin）；アポマル（Apomul）ＳＡＫ（ＰＣＴ国際公開特許ＷＯ０１／２５３８６）；自己架橋又はセルロースと反応することができるポリマー物質；反応性ポリウレタンを含む（ＰＣＴ国際公開特許ＷＯ０１／２７２３２）；ローカストビーンガムのような低分子量の多糖類ガム（polyssacharide gum）を含有する組成物であって、こうしたガムは、キシログルカンのような酵素の開裂によりその場で生成され得る（ＰＣＴ国際公開特許ＷＯ００／４０６８４及びＰＣＴ国際公開特許ＷＯ００／４０６８５）；多糖類／セルロースエステル（アセテート）；特定置換された再生ポリマー（ＰＣＴ国際公開特許ＷＯ０１／７２９３６及びＰＣＴ国際公開特許ＷＯ０１／７２９４０〜ＰＣＴ国際公開特許ＷＯ０１／７２９４４）；繊維の絡み合いを防止するための疎水性化ＣＭＣ（ＰＣＴ国際公開特許ＷＯ００／４２１４４及びＰＣＴ国際公開特許ＷＯ００／４７７０５）；耐摩耗性のための、二塩基酸又はエピクロルヒドリン（epichlorhydrin）と架橋した高分子量ＰＥＩ（ＰＣＴ国際公開特許ＷＯ００／４９１２２）；耐摩耗性のためのプロピレンジアミンポリマー誘導体（ＰＣＴ国際公開特許ＷＯ００／４９１２３）；耐摩耗性のためのリシンカプロラクタムポリマー（ＰＣＴ国際公開特許ＷＯ００／４９１２５）；すすぎ添加物から適用されるフィルム形成セルロースエーテル（ＰＣＴ国際公開特許ＷＯ００／６５０１５）；繊維の外観のためのリシン／アミン又はアジピン酸コポリマー（ＰＣＴ国際公開特許ＷＯ９９／０７８１３及びＰＣＴ国際公開特許ＷＯ９９／０７８１４）及びこれらの混合物が挙げられる。
【００３４】
好適な香料放出及び／又は送達剤の非限定例には、カチオン性エステルクアットの使用による表面への香料の改善された保持（ＤＥ１９９１９０８８）；粒剤の組み込みによる香料の遅効性放出（ＤＥ１９９４８６６７）；架橋ポリスチレンを含有する香料カプセル化物（ＰＣＴ国際公開特許ＷＯ００／６８３５２）；香料／シリカ粒子（ＥＰ８２０７６２）；スパンデックス上に優先的に付着する香料組成物（ＰＣＴ国際公開特許ＷＯ９９／１９４５２）；長続きする芳香剤のための香料粒子＋シリコーンポリマーを含有する家庭内ケア製品（ＰＣＴ国際公開特許ＷＯ０１／２５３８９）；持続性放出のアセトアルデヒドキャリア（ＪＰ２００１−０７２６３７）；ベタインエステル誘導体（ＥＰ１０９９６８９）；メチルβ−シクロデキストリンを含有する香料組成物（ＰＣＴ国際公開特許ＷＯ００／６７７１９及びＰＣＴ国際公開特許ＷＯ００／６７７２０及びＰＣＴ国際公開特許ＷＯ００／６７７２１）；β−アミノケトン及びオキサゾリジンを含有する前芳香剤（profragrance）（ＰＣＴ国際公開特許ＷＯ００／６３３３９）；カプセル化ブルーミング香料（米国特許第６，１４３，７０７号）；直鎖及び環状アセタール、ｏ−炭酸エステル（ＰＣＴ国際公開特許ＷＯ９９／００３４７及びＰＣＴ国際公開特許ＷＯ９９／００３７７及びＰＣＴ国際公開特許ＷＯ９８／４７９９５）；香料の持続性放出のためのｐ−トルエンスルホン酸エステル（ＰＣＴ国際公開特許ＷＯ９７／２２５８０）；香料アルコールのアミノエステル誘導体（ＰＣＴ国際公開特許ＷＯ９７／１６４０７）；ＣｌｏｇＰ＞３の構成成分を特徴とする持続性香料（ＰＣＴ国際公開特許ＷＯ９７／３１０９４）；香料アルコールのコハク酸及びフマル酸エステル（米国特許第５，６６８，１０２号）；アセタール及びケタール（ＰＣＴ国際公開特許ＷＯ９７／３４９８１及びＰＣＴ国際公開特許ＷＯ９７／３４９８６）；香料アルコールのβ−ケトエステル及び適用（ＰＣＴ国際公開特許ＷＯ９８／０７４０５及びＰＣＴ国際公開特許ＷＯ９８／０７８１３）；芳香剤送達ビヒクルとしてのイミン、これを製造する方法（ＥＰ１０６７１１６及びＥＰ１０６７１１７）；β−ケトエステル（ＥＰ９１１３１５）；香料前駆体としてのエステル、エノールエステル及び炭酸塩（ＰＣＴ国際公開特許ＷＯ９８／５８８９９及びＥＰ８８７３３５及びＥＰ８８７３３８）；遅効性香料放出のための、ペンテノン酸のフェニルエーテルエステルからのオルガノシロキサン（ＥＰ８７８４９７）；前香料及び前香料の開裂のための酵素を含有する柔軟化組成物（ＥＰ１０７７２５１）；制御された芳香剤の放出のための香料カプセル（米国特許第６，１４７，０４６号及び米国特許第６，１４２，３９８号）；エステル前香料化合物；第二級カルバモイル官能基を含有する（ＰＣＴ国際公開特許ＷＯ０１／２８９８０）；α−ケトエステル前香料；光により開始される（米国特許第６，２１８，３５５号）；香料アルコールにより官能化されたＰＤＭＳを含有する芳香剤放出シロキサン（ＥＰ９８２０２２）；酵素の臭気を隠すための香料の仕様（ＪＰ２０００−２３０１９７）；カカルチバリウス（cucurtiburils）、シクロデキストリンの代替物（ＰＣＴ国際公開特許ＷＯ０���／６８２３２）；テレフタル酸、スルホイソフタル酸、及びエチレングリコールのコポリマーを含有する香料カプセル化物（ＦＲ２７９１９０６及びＦＲ２７９１９９２及びＰＣＴ国際公開特許ＷＯ０１／２３５１２）及びこれらの混合物が挙げられる。
【００３５】
好適な形状保持剤の非限定例には、寸法安定性を提供するためにＰＡＥ樹脂（例えばアポマル（Apomul）ＳＡＫ）及びシリコーンを含有する組成物（ＰＣＴ国際公開特許ＷＯ００／１５７４７及びＰＣＴ国際公開特許ＷＯ００／１５７４８）；乾燥機適用のための布地形状保持剤としてのカチオン性アミン／エピクロルヒドリン樹脂（epichlorhydrin resin）（ＰＡＥ樹脂）（ＰＣＴ国際公開特許ＷＯ００／１５７５５）；自己架橋及びセルロースと反応することができるアニオン性ポリマー、例えばカルバモイルスルホネート末端ブロック化イソシアネートであって；寸法安定性を提供するもの（ＰＣＴ国際公開特許ＷＯ０１／２５３８７）及びこれらの混合物が挙げられる。
【００３６】
好適な標的剤の非限定例（技術）には、大きな分子のセルロース結合多糖類への結合（ＰＣＴ国際公開特許ＷＯ９９／３６４６９）；機能材料への抗体の結合及び布地表面上への吸着（ＰＣＴ国際公開特許ＷＯ０１／４６３６４及びＰＣＴ国際公開特許ＷＯ０１／４８１３５）；抗体の結合により粒子に結合したＣＢＤ、コアセルベートを含有する香料の綿上への強化（ＰＣＴ国際公開特許ＷＯ０１／４６３５７）；ペプチド又はタンパク質付着助剤による有益剤の布地への送達（ＰＣＴ国際公開特許ＷＯ９８／００５００）；模倣セルロース結合ドメインに結合した有益剤（ＰＣＴ国際公開特許ＷＯ０１／３４７４３及びＰＣＴ国際公開特許ＷＯ０１／３２８４８）及びこれらの混合物が挙げられる。
【００３７】
好適な刺激減少剤の非限定例には、レバー（Lever）クアットにより処理された、ＡＳで洗濯された布地の刺激の減少（ＰＣＴ国際公開特許ＷＯ００／１７２９７）が挙げられる。
【００３８】
好適な変色防止剤の非限定例には、布地漂白中に、より低い黄ばみの可能性を提供するための末端をホスホネート化されたポリアクリレート（ＤＥ１９９０４２３０）が挙げられる。
【００３９】
好適な疎水性加工剤の非限定例には、疎水性加工剤としてのポリリシン（ＤＥ１９９０２５０６）が挙げられる。
【００４０】
好適な抗細菌剤の非限定例には、悪臭を隠すための琥珀及びムスク物質の組み合わせ（ＰＣＴ国際公開特許ＷＯ９８／５６３３７）；５−クロロサリチルアニリドを含有する抗殺細菌組成物（ＰＣＴ国際公開特許ＷＯ０１／６０１５７）；アミノアルキルシリコーン、改善された表面残留性を含有する抗微生物組成物（ＰＣＴ国際公開特許ＷＯ９６／１９１９４）；抗微生物ポリペプチド（ＰＣＴ国際公開特許ＷＯ９６／２８４６８）；ＡＥ／ＡＯ化合物及びフェノールを含有する抗微生物組成物（ＰＣＴ国際公開特許ＷＯ９８／０１５２４）；アルコールの抗微生物活性（ＰＣＴ国際公開特許ＷＯ９７／２１７９５）；良好な抗微生物活性を有するベタイン組成物（ＰＣＴ国際公開特許ＷＯ９７／４３３６８及びＰＣＴ国際公開特許ＷＯ９７／４３３６９）；抗微生物剤としての高ｐＨの非イオン性溶液（ＰＣＴ国際公開特許ＷＯ０１／４４４３０）；織物処理剤の制御された放出のためのカプセル（ＤＥ１９９３１３９９）；ベンジルアルキルアンモニウム、亜鉛ＰＴＯ、クライムアゾール（climbazole）を含有する組成物（ＰＣＴ国際公開特許ＷＯ９８／０１５２７）；有効な抗細菌組成物としてのアルキルジメチルアンモニウム及びアルコールエトキシレート（ＧＢ２３２２５５２）；臭気中和のためのシクロヘキシルエステル（ＰＣＴ国際公開特許ＷＯ０１／４３７８４）；アルコキシジスルフィド抗微生物剤（ＥＰ１００８２９６）；抗細菌剤としてのブロモフラノン（ＰＣＴ国際公開特許ＷＯ１／４３７３９）及びこれらの混合物が挙げられる。
【００４１】
（添加剤成分）
上述の特定の布地ケア活性物質に加えて、添加剤物質のようなその他の布地ケア活性物質も、本発明の方法及び組成物に用いてもよい。
【００４２】
添加剤物質は、非常に広範囲であり得、広範囲の濃度で使用することができる。例えば、プロテアーゼ類、アミラーゼ類、セルラーゼ類、リパーゼ類等のような洗浄性酵素、並びに、洗濯及び洗浄製品で全て有用なマンガン又は類似の遷移金属を有する大環状種を含む漂白触媒を、非常に低い濃度で、又はあまり一般的ではないがより高い濃度で、本明細書において使用することができる。触媒作用をする添加剤物質、例えば、酵素は「前進」又は「逆進」モードで用いることができ、これは本発明の特定の器具とは無関係に有用な発見である。例えば、リポラーゼ又は他の加水分解酵素を、補助剤としてアルコールの存在下で任意に使用してもよく、脂肪酸をエステルに転化し、それにより親油性流体中の溶解度を増大させる。これは「逆方向」操作であって、水に対する溶解度がより小さい脂肪酸エステルを、水に対する溶解度がより大きい物質に変換するための、水中における加水分解酵素の通常の使用法とは対照的である。いずれにしても、任意の補助剤成分は親油性流体との組み合わせで使用するのに適していなければならない。
【００４３】
上記組成物は乳化剤を含んでもよい。乳化剤は化学分野で既知である。本質的に、乳化剤は２つ以上の不溶性又は準可溶性の相を一緒にして、安定又は準安定したエマルションをもたらすように作用する。請求する発明において、乳化剤が乳化剤としてだけではなく、トリートメント性能増進剤としても作用できる、二重の目的を果たすことが好ましい。例えば、乳化剤はまた界面活性剤としても作用し、その結果、クリーニング性能を増進させる。通常の乳化剤及び乳化剤／界面活性剤の両方は市販されている。
【００４４】
好適な洗浄性添加物（添加剤成分）の一部には、ビルダー、界面活性剤、酵素、漂白活性化剤、漂白触媒、漂白増進剤、漂白剤、アルカリ性供給源、抗細菌剤、着色剤、香料、前香料、仕上げ助剤、石灰石鹸分散剤、組成物悪臭制御剤、臭気中和剤、ポリマー移染防止剤、結晶成長防止剤、光漂白剤、キレート剤、変色防止剤、抗微生物剤、酸化防止剤、再付着防止剤、汚れ放出ポリマー、電解質、ｐＨ調整剤、増粘剤、研磨剤、二価又は三価のイオン、金属イオン塩、酵素安定剤、腐食防止剤、ジアミン又はポリアミン及び／又はそれらのアルコキシレート、泡安定化ポリマー、溶媒、加工助剤、布地柔軟剤、蛍光増白剤、屈水性誘発物質、泡又は泡立ち抑制剤、泡又は泡立ち促進剤、柔軟仕上げ剤、静電気防止剤、染料固定剤、染料磨耗防止剤、クロッキング防止剤、皺減少剤、防皺剤、汚れ放出ポリマー、防汚剤、日焼け止め剤、退色防止剤、及びこれらの混合物が挙げられるが、これらに限定されない。
【００４５】
用語「界面活性剤」とは、従来は、水、親油性流体、又はこの２つの混合物のいずれかの中において界面活性である物質を指す。幾つかの例証的な界面活性剤には、従来型水性洗剤系中で使用されるような、非イオン性界面活性剤、陽イオン性界面活性剤、及びシリコーン界面活性剤が挙げられる。好適な非イオン性界面活性剤には：
ａ）ノニルフェノール及びミリスチルアルコールのポリエチレンオキシド縮合物、例えば米国特許第４６８５９３０号、カスプルザク（Kasprzak）；及び
ｂ）脂肪族アルコールエトキシレート、Ｒ−（ＯＣＨ２ＣＨ２）ａＯＨ、ａ＝１〜１００、典型的には１２〜４０であり、Ｒ＝炭化水素残基で８〜２０のＣ原子、典型的には線状アルキル、が挙げられるがこれらに限定されるものではない。例としては、４又は２３のオキシエチレン基を有するポリオキシエチレンラウリルエーテル；２、１０、又は２０のオキシエチレン基を有するポリオキシエチレンセチルエーテル；２、１０、２０、２１、又は１００のオキシエチレン基を有するポリオキシエチレンステアリルエーテル；２又は１０のオキシエチレン基を有するポリオキシエチレン（２），（１０）オレイルエーテルがある。
【００４６】
好適な陽イオン性界面活性剤は、次式を有するジアルキルジメチルアンモニウム塩が挙げられるが、これらに限定されない：
Ｒ’Ｒ”Ｎ＋（ＣＨ３）２Ｘ−
式中、各Ｒ’Ｒ”は１２〜３０Ｃ原子から成る基から独立して選択されるか、又はタロー、ココナッツ油もしくは大豆に由来し、Ｘ＝Ｃｌ又はＢｒであり、例には、ジドデシルジメチルアンモニウムブロミド（ＤＤＡＢ）、ジヘキサデシルジメチルアンモニウムクロリド、ジヘキサデシルジメチルアンモニウムブロミド、ジオクタデシルジメチルアンモニウムクロリド、ジエイコシルジメチルアンモニウムクロリド、ジドコシルジメチルアンモニウムクロリド、ジココナッツジメチルアンモニウムクロリド、ジタロージメチルアンモニウムブロミド（ＤＴＡＢ）が挙げられる。市販の例には：アドゲン（ADOGEN）、アーカード（ARQUAD）、トマ（TOMAH）、ヴァリカート（VARIQUAT）が挙げられるが、これらに限定されない。また米国特許第６０１３６８３号、ヒル（Hill）らを参照のこと。
【００４７】
好適なシリコーン界面活性剤には、ジメチルポリシロキサン疎水性部分と１以上の親水性ポリアルキレン側鎖とを有するポリアルキレンオキシドポリシロキサン類が挙げられ、以下の一般式を有するが、これに限定されない：
Ｒ１−（ＣＨ３）２ＳｉＯ−［（ＣＨ−３）２ＳｉＯ］ａ−［（ＣＨ３）（Ｒ１）ＳｉＯ］ｂ−Ｓｉ（ＣＨ３）２−Ｒ１
式中、ａ＋ｂは約１〜約５０、好ましくは約３〜約３０、更に好ましくは約１０〜約２５であり、各Ｒ１は同一であるか又は異なり、メチル及びポリ（エチレンオキシド／プロピレンオキシド）コポリマー基から成る群から選択され、次の一般式を有する：
−（ＣＨ２）ｎＯ（Ｃ２Ｈ４Ｏ）ｃ（Ｃ３Ｈ６Ｏ）ｄＲ２
式中、少なくとも１個のＲ１はポリ（エチレンオキシド／プロピレンオキシド）コポリマー基であり、その際、ｎは３又は４、好ましくは３であり；（全てのポリアルキレン側基の）ｃの合計は１〜約１００、好ましくは約６〜約１００であり；ｄの合計の値は０〜約１４、好ましくは０〜約３であり；更に好ましくはｄは０であり；ｃ＋ｄの合計の値は約５〜約１５０、好ましくは約９〜約１００であり、並びに各Ｒ２は同一であるか又は異なり、水素、１〜４個の炭素原子を有するアルキル基、及びアセチル基、好ましくは水素及びメチル基から成る群から選択される。これらの界面活性剤の例は、ヒル（Hill）の米国特許第５，７０５，５６２号及びヒル（Hill）の米国特許第５７０７６１３号に見出すことができ、これら２つを本明細書に引用して援用する。
【００４８】
この種類の界面活性剤の例には、コネチカット州ダンブリー（Danbury）のＣＫウィトコ（Witco）ＯＳｉディビジョンから入手可能なシルウェット（Silwet（登録商標））界面活性剤がある。典型的なシルウェット（Silwet）界面活性剤は次のとおりである。
【表２】
2005513244.tif 000003
【００４９】
ポリアルキレンオキシ基（Ｒ１）の分子量は、約１０，０００以下である。好ましくは、ポリアルキレンオキシ基の分子量は約８，０００以下、最も好ましくは約３００〜約５，０００の範囲である。従って、ｃ及びｄの値は、これらの範囲内の分子量を与える数であり得る。しかしながら、ポリエーテル鎖（Ｒ１）中のエチレンオキシ単位（−Ｃ２Ｈ４Ｏ）の数は、ポリアルキレンオキシドポリシロキサンを水分散性又は水溶性にするのに十分な値でなければならない。ポリアルキレンオキシ鎖にプロピレンオキシ基が存在する場合、それらは鎖中に無作為に分布するか、又はブロックとして存在し得る。好ましいシルウェット（Silwet）界面活性剤は、Ｌ−７６００、Ｌ−７６０２、Ｌ−７６０４、Ｌ−７６０５、Ｌ−７６５７、及びこれらの混合物である。表面活性の他にも、ポリアルキレンオキシドポリシロキサン界面活性剤は、布地に対する静電気防止効果、及び柔軟性などの他の効果をもたらすこともできる。
【００５０】
ポリアルキレンオキシドポリシロキサン類の調製は当該技術分野において既知である。本発明のポリアルキレンオキシドポリシロキサン類は、米国特許第３，２９９，１１２号に示された手順に従って調製することができ、これを参考として本明細書に組み入れる。
【００５１】
他の好適なシリコーン界面活性剤はＳＦ−１４８８であり、ＧＥシリコーン流体（GE silicone fluids）より入手可能である。
【００５２】
親油性流体と組み合わせて添加剤として用いられるのに好適なこれら及び他の界面活性剤は、当該技術分野で周知であり、より詳細にはカーク・オスマー（Kirk Othmer）の工業化学百科事典（Encyclopedia of Chemical Technology）、第３版、第２２巻、３６０〜３７９頁、「界面活性剤及び洗剤システム（Surfactants and Detersive Systems）」に記載されており、本明細書に引用して援用する。更なる好適な非イオン性洗浄性界面活性剤は、１９７５年１２月３０日にラフリン（Laughlin）らに発行された米国特許第３，９２９，６７８号の１３欄１４行〜１６欄６行に概ね開示されており、本明細書に引用して援用する。
【００５３】
添加剤はまた、静電気防止剤であってよい。洗濯及びドライクリーニング分野において用いられるいかなる適した周知の静電気防止剤も、本発明の方法及び組成物に用いるのに適している。静電気防止剤として特に適しているのは、静電気防止効果をもたらすことで知られている布地柔軟剤の一部である。例えば、Ｎ，Ｎ−ジ（タローイル−オキシ−エチル）−Ｎ，Ｎ−ジメチルアンモニウムメチルサルフェートのような、２０を超えるヨウ素価を有する脂肪族アシル基を有する布地柔軟剤である。しかし、静電気防止剤という用語は、この一部の布地柔軟剤だけに限らず、全ての静電気防止剤を含むということが理解されるべきである。
【００５４】
本発明で利用される方法及び／又は組成物は詳細に記載されるが、本発明を実行することが可能ないかなる組成物、方法、及び／又は装置も使用可能であることは、当該技術分野における当業者には理解されるであろう。
【００５５】
（方法）
本発明の方法は、親油性流体による処理方式において改善された布地洗浄を達成することを対象とし、かつ布地を親油性流体にさらす工程と布地を特定の布地ケア活性物質にさらす工程とを含む。任意ではあるが好ましくは、上記方法は布地を極性相にさらす工程を含んでもよい。
【００５６】
極性相は、水、アルコール、又はこれらの混合物を含んでもよい。極性相が水を含有する場合、極性相は、好ましくは、布地の少なくとも約０．５重量％、多くとも約１０重量％の水を含む。
【００５７】
親油性流体は、線状シロキサン、環状シロキサン、又はその混合物を含んでもよい。好ましくは、親油性流体は、オクタメチルシクロテトラシロキサン、デカメチルシクロペンタシロキサン、ドデカメチルシクロヘキサシロキサン、及びこれらの混合物から本質的に成る群から選択される。一層より好ましくは、親油性流体はデカメチルシクロペンタシロキサンを含む。最も好ましくは、親油性流体はデカメチルシクロペンタシロキサンを含み、オクタメチルシクロテトラシロキサンを実質的に含まない。前述のシロキサンの引火点のために、方法は好ましくは約８０℃以下で行う。
【００５８】
本発明による方法を実行する一方で、それぞれ別々に、又は極性相、親油性流体、及び／もしくは漂白剤システムに含有される結果として、布地を乳化剤及び／又は界面活性剤にさらしてもよい。酵素、漂白剤、界面活性剤、布地柔軟剤、香料、抗細菌剤、静電気防止剤、光沢剤、染料固定剤、染料磨耗防止剤、クロッキング防止剤、皺取り剤、防皺剤、汚れ放出ポリマー、日焼け止め剤、退色防止剤、ビルダー、キレート剤、発泡剤、組成物悪臭防止剤、組成物着色剤、ｐＨ緩衝剤、防水剤、防汚剤、及びこれらの混合物から本質的に成る群から選択される補助剤成分に布地をさらしてもよい。これらの添加剤はまた、それぞれ別々に、又は極性相、親油性流体、及び／もしくは特定の布地ケア活性物質の中に含有される結果としてのいずれかにより適用されることもできる。
【００５９】
（組成物）
本発明の組成物は、親油性流体による処理方式において改善された布地洗浄を達成することを対象とし、その際、その組成物は親油性流体と特定の布地ケア活性物質とを含む。任意に、組成物は極性相を更に含むことができる。
【００６０】
含まれる場合、極性相は、水、アルコール、及びこれらの混合物を含んでもよい。
【００６１】
また、極性相は、好ましくは、組成物の少なくとも約０．１重量％、多くとも約５重量％の水を含む。
【００６２】
更に、極性相はｐＨを維持するために緩衝液を含んでもよい。
【００６３】
該組成物は、親油性システムに送達される前の保存中の製品を安定化するためにも、非特定の布地ケア活性物質を含有してもよい。このようなキレート剤は、エチレンジアミン二コハク酸（ＥＤＤＳ）、エチレンジアミン四酢酸（ＥＤＴＡ）、四級アンモニア化合物、又は１−ヒドロキシエタン−１，１−ジホスホン酸（ＨＥＤＰ）を含むが、これらに限定されない。
【００６４】
親油性流体は、線状シロキサン、環状シロキサン、又はその混合物を含んでもよい。好ましくは、親油性流体は、オクタメチルシクロテトラシロキサン、デカメチルシクロペンタシロキサン、ドデカメチルシクロヘキサシロキサン、及びこれらの混合物から本質的に成る群から選択される親油性流体を含む。更に好ましくは、親油性流体はデカメチルシクロペンタシロキサンを含む。最も好ましくは、親油性流体はデカメチルシクロペンタシロキサンを含み、オクタメチルシクロテトラシロキサンを実質的に含まない。
【００６５】
漂白剤システムは、酸素系漂白剤、漂白剤活性化剤及び過酸化物源、予備形成過酸、酸化漂白剤酵素、光漂白剤、漂白剤促進化合物、金属漂白剤触媒、オゾン、二酸化塩素又は多漂白剤システムの混合物を含むことができる。漂白剤システムが予備形成の過酸を含んでいれば、極性相は好ましくは布地の少なくとも約１重量％の水を含む。好ましくは、漂白剤システムは少なくとも約２ｐｐｍのＡｖＯ、より好ましくは少なくとも約２５ｐｐｍのＡｖＯ、更により好ましくは少なくとも約５０ｐｐｍのＡｖＯ、更により好ましくは少なくとも約１００ｐｐｍのＡｖＯを有する。好ましくは、漂白剤システムは、最大約１００００ｐｐｍＡｖＯを有する。最も好ましくは、漂白剤システムは少なくとも約１００ｐｐｍのＡｖＯ及び多くとも約５０００ｐｐｍのＡｖＯを有する。漂白剤システムは、単独成分に相対して極性相の範囲内にあってもよいし、及び／又は親油性流体の範囲内であってもよい。
【００６６】
本発明を実行する一方で、それぞれ別々に、又は極性相、親油性流体、及び／もしくは漂白剤システムに含有される結果として、布地を乳化剤及び／又は界面活性剤にさらしてもよい。酵素、漂白剤、乳化剤、界面活性剤、布地柔軟剤、香料、抗菌剤、静電気防止剤、光沢剤、染料固定剤、染料磨耗阻害剤、クロッキング防止剤、皺取り剤、防皺剤、汚れ放出ポリマー、日焼け止め剤、退色防止剤、ビルダー、キレート剤、発泡剤、組成物悪臭抑制剤、組成物着色剤、ｐＨ緩衝剤、防水剤、防汚剤、及びこれらの混合物から本質的に成る群から選択される補助剤成分に布地をさらしてもよい。それぞれ別々に、又は極性相、親油性流体、及び／もしくは漂白剤システムの中に含有される結果として、このような補助剤を適用することもできる。
【００６７】
本発明の方法及び／又は組成物は、その他の布地の処理と組み合わせられてもよいことは理解される。例えば、親油性流体の適用に先立って、布地物品を、その関連部分を本明細書に引用して援用する同時係属出願番号６０／１９１，９６５号（２０００年３月２４日出願、ノイエス（Noyes）ら）に記載されるような微粒子を除去する方法に付してもよい。
【００６８】
本発明は、ドライクリーニングサービス、おむつサービス、制服洗浄サービスのようなサービスにおいて、又はランドロマット、ドライクリーナー、ホテル、レストラン、コンベンションセンター、空港、観光船、港湾施設、カジノの一部であるリネンサービスのような商業的ビジネスに用いてもよく、家庭で用いてもよい。
【００６９】
改変された既存の装置である装置、及び関連する方法に加えて本発明の方法を実行するような方式で改造した装置で、本発明の方法及び／又は組成物を実行してもよい。
【００７０】
本発明の方法及び／又は組成物は、改造された既存の装置ではないが、本発明の方法を実行できるような方式にて具体的に作製される装置において実行してもよいし、又は親油性流体の処理システムの一部としてのもう１つの装置を加えてもよい。このことは、化学物質及び水の供給への接続、及び廃液洗浄流体の下水設備のような付随するあらゆる配管を含む。
【００７１】
最終的に、本発明の方法は、改変された既存の装置ではないが、本発明の方法及び関連する方法を実行することができるような方式にて具体的に作製されるものである装置において実行してもよい。
【００７２】
本発明を実行するのに用いられる装置は通常、ある種の制御システムを含有する。これらには、いわゆるスマート制御システム、並びに更に従来の電気機械システムのような電気システムが挙げられる。制御システムによって、ユーザーは、洗濯されるべき布地負荷の大きさ、汚れの種類、汚れの程度、洗濯サイクルの時間を選択することが可能になる。もう１つの方法として、ユーザーは、予め設定された洗濯サイクル及び／又はリフレッシュサイクルを用いることができ、又は装置は、確認可能ないかなる数のパラメータに基づいてもサイクルの長さを制御することができる。このことは、電気制御システムについて特にあてはまる。例えば、親油性流体の回収率が定常の率に達した時、装置は定められた時間の後で自動的に停止するか、又は別の親油性流体の工程方法を開始することができる。
【００７３】
電気制御システムの場合、１つの選択肢は制御デバイスをいわゆる「スマートデバイス」にすることである。このことは、自己診断システム、負荷の種類及びサイクル選択、機械をインターネットに接続して使用者が装置を遠隔的に始動させ、装置が布地物品を洗濯したら知らせること、又は装置が故障した場合、供給元が遠隔的に問題を診断することを含むことを意味するが、これらに限定されない。その上、本発明の装置が単に洗浄システムの一部であるならば、いわゆる「スマートシステム」は、洗濯機や乾燥機のような洗浄工程の残りを完了するのに用いられるその他の洗浄装置に連絡させることができる。
【国際調査報告】
2005513244.tif 000004
2005513244.tif 000005
2005513244.tif 000006
2005513244.tif 000007
2005513244.tif 000008
2005513244.tif 000009
2005513244.tif 000010